(57)【特許請求の範囲】
【請求項１】
基礎側に取り付けられる第一部材と、この第一部材の上側に位置して振動源側に取り付けられる第二部材と、これら第一部材及び第二部材の間に、そのばね軸心が略垂直方向に延びるように配設されているコイルばねとを備え、上記コイルばねの伸縮により振動源を支持して、基礎への振動の伝達を抑制するようにした防振装置であって、
上記コイルばねには、ばね軸心に略直交する方向から弾性を有するサージング防止部材が押し付けられており、
上記サージング防止部材は、略円筒形状をしたゴム部材からなり、その筒軸が略水平となるように横臥した状態で上記コイルばねの内側に配設されるとともに、支持部材となる上記第一部材及び上記第二部材のいずれか一方に、当該サージング防止部材の固定端部が固定され、その筒軸を挟んで互いに対向している両側部の少なくとも一部がコイルばねの巻線に押し付けられて、上下に長い楕円状ないし長円状に変形しており、
このサージング防止部材には、コイルばねの収縮時にその巻線の間に入り込むのを防止するよう、その姿勢を保持する姿勢保持部材が上記支持部材に組み付けられていて、
上記姿勢保持部材は、上記固定端部と、これと対向している対向端部との間の長さが所定寸法より小さくならないように、その対向端部を支持していることを特徴とする防振装置。
【請求項２】
請求項１に記載の防振装置において、
上記姿勢保持部材は、周面に雄ねじを有する長軸状の部材からなり、上記サージング防止部材の固定端部に形成された貫通孔に挿通されて略垂直方向に延びており、上記サージング防止部材の外側に突出する部分が上記支持部材に設けられたねじ孔に螺合して支持される一方、上記サージング防止部材の内側に突出する部分の先端部が上記サージング防止部材の対向端部の内面に接当していることを特徴とする防振装置。
【請求項３】
請求項２に記載の防振装置において、
上記支持部材が、基礎側又は振動源側に取り付けられる取付ベースと、この取付ベースから離間して対向状に設けられた支持ベースとを有し、
上記支持ベースに上記ねじ孔が設けられていて、上記サージング防止部材の外側に突出する姿勢保持部材の部分が取付ベースと支持ベースとの間の空間に収容されていることを特徴とする防振装置。
【請求項４】
請求項１〜３のいずれか一つに記載の防振装置において、
上記サージング防止部材は、その外周縁部における少なくともコイルばねの巻線に押し付けられる部分に、ばね軸心が延びる方向から見て、コイルばねの巻線の内周に沿うように形成された摺接面を有していることを特徴とする防振装置。
【発明の詳細な説明】
【技術分野】
【０００１】
本発明は、基礎上に支持された振動源の振動が基礎へ伝達されるのをコイルばねの弾性変形により防ぐようにした防振装置に関し、特に、コイルばねのサージングを防止するための構造に属する。
【背景技術】
【０００２】
従来より、振動源となる空気調和装置の室外ユニットなどを基礎上に設置する場合には防振台が用いられており、その防振台には室外ユニットの振動や騒音を吸収するために、コイルばねを内蔵した防振装置が備えられている。このような防振装置では、コイルばねに伝わる外力振動数がばね自身の固有振動数に近付くと振幅が大きくなる、所謂サージングの現象が生じるので、これを防ぐために、通常はサージング防止部材も併設されている。
【０００３】
このような防振装置としては、例えば図８、図９に示すタイプのものがある（特許文献１）。
【０００４】
そこでの防振装置には、サージング防止部材として比較的剛性の大きい円筒状のリングゴム１００が用いられていて、そのリングゴム１００は、図８に示すように、その下部のスリット１００ａに固定用ホルダ１０１の挿入部１０１ａが挿入され、そして、図９に示すようにリングゴム１００の中心軸線が水平方向に向くように横臥した状態で垂直方向に延びるコイルばね１０２の巻線１０２ａ，１０２ａ，・・の内側に嵌め入れられている。尚、図９中、符号１０３は下部ばねケース、符号１０４は上部ばねケースであり、これらは垂直方向に相対的に接離可能となっている。
【０００５】
この防振装置によれば、コイルばね１０２の巻線１０２ａ，１０２ａ，・・内に嵌め入れられたリングゴム１００は、挿入部１０１ａを挟んで対向しているリングゴム１００の両側部１００ｂ，１００ｂ、詳しくはその幅方向の隅角部が、コイルばね１０２の巻線１０２ａ，１０２ａ，・・に押圧されて長円状（又は楕円状）に変形するので、このリングゴム１００の各側部１００ｂの弾性反発力による接触抵抗によってコイルばね１０２にサージングの現象が生じるのを防止することができる。
【０００６】
そして、挿入部１０１ａによって、リングゴム１００の両側部１００ｂ，１００ｂが互いに近づくように変形するのを規制できるので、この挿入部１０１ａの幅寸法や形状等を変更すればリングゴム１００とコイルばね１０２との接触抵抗を調整できるようにもなっている。
【０００７】
その他、本発明の姿勢保持部材に関連する先行技術としては、例えば特許文献２、３がある。
【特許文献１】特開２００４―３０８８１１号公報
【特許文献２】特開昭６４―４９７３５号公報
【特許文献３】特許第３５４３７５８号公報
【発明の開示】
【発明が解決しようとする課題】
【０００８】
しかし、上記特許文献１の防振装置では、図１０に示すように、コイルばね１０２の巻線１０２ａ，１０２ａ，・・の間にリングゴム１００が入り込んでコイルばね１０２の収縮が妨げられ、コイルばね１０２が正常に収縮するのに比べて、見かけ上、コイルばね１０２のばね定数が大きくなるような場合があり、防振装置の防振性能が不安定になるという問題があった。
【０００９】
本発明はかかる点に鑑みてなされたものであり、その目的は、コイルばねを有する防振装置において、コイルばねに対するサージング防止部材の適正な接触抵抗を確保し、防振性能の安定化を図ることにある。
【課題を解決するための手段】
【００１０】
上記目的を達成するために、本発明では、コイルばねの収縮時にサージング防止部材がコイルばねの巻線の間に入り込むのを防止するべく、サージング防止部材に、その姿勢を保持する姿勢保持部材を組み付けた。
【００１１】
すなわち、基礎側に取り付けられる第一部材と、この第一部材の上側に位置して振動源側に取り付けられる第二部材と、これら第一部材及び第二部材の間に、そのばね軸心が略垂直方向に延びるように配設されているコイルばねとを備え、上記コイルばねの伸縮により振動源を支持して、基礎への振動の伝達を抑制するようにした防振装置であって、上記コイルばねには、ばね軸心に略直交する方向から弾性を有するサージング防止部材が押し付けられていて、このサージング防止部材には、コイルばねの収縮時にその巻線の間に入り込むのを防止するよう、その姿勢を保持する姿勢保持部材が支持部材に組み付けられている構成とする。
【００１２】
この構成によれば、まず、基礎側に取り付けられる第一部材とその上側に位置して振動源側に取り付けられる第二部材との間に、ばね軸心が略垂直方向に延びるようにコイルばねが配設されている。従って、振動源から基礎に伝わる振動は、コイルばねの伸縮による弾性作用によって抑制することができる。
【００１３】
そして、このコイルばねには、そのばね軸心と略直交する方向から弾性を有するサージング防止部材が押し付けられている。従って、コイルばねで発生するサージングの現象は、サージング防止部材の弾性反発力による接触抵抗によって効果的に防止することができる。
【００１４】
そのうえ、収縮時にコイルばねの巻線の間に入り込むのを防止するために、サージング防止部材には、その姿勢を保持する姿勢保持部材が支持部材に組み付けられている。従って、サージング防止部材がコイルばねの収縮を妨げて、コイルばねのばね定数が見かけ上大きくなるような事態を回避することができ、防振装置の防振性能を安定して発揮させることができる。
【００１５】
具体的には、上記サージング防止部材は、略円筒形状をしたゴム部材からなり、その筒軸が略水平となるように横臥した状態で上記コイルばねの内側に配設されるとともに、その筒軸を挟んで互いに対向している両側部の少なくとも一部がコイルばねの巻線に押し付けられて、上下に長い楕円状ないし長円状に変形している。そして、支持部材となる上記第一部材及び上記第二部材のいずれか一方に、上記サージング防止部材の端部が固定され、この固定端部と対向している対向端部との間の長さが所定寸法より小さくならないように、その対向端部が上記姿勢保持部材に支持されているものとすることができる。
【００１６】
この構成によれば、サージング防止部材は簡素な構造であり、防振装置への組み付けも簡単であることから、経済性、生産性に優れる。
【００１７】
そして、サージング防止部材の長軸側の長さが所定寸法より小さくならないように、支持部材に固定されている固定端部と対向している対向端部、つまり弾性変形して自在に変位可能な端部が姿勢保持部材によって支持されているので、コイルばねの巻線に接しているサージング防止部材の両側部が必要以上に拡がるのを規制することができる。従って、コイルばねの収縮時に、サージング防止部材の一部がコイルばねの巻線の間に入り込むのを効果的に防止できる。
【００１８】
また、コイルばねが収縮、つまり振動源の荷重が大きくなっても、サージング防止部材がコイルばねの収縮に追随して縮むことはないし、巻線への押し付け状態も変わることはない。従って、コイルばねが収縮した分だけコイルばねとサージング防止部材との接触抵抗が増えて減衰量が増加する利点もある。
【００１９】
さらに具体的には、上記姿勢保持部材は、周面に雄ねじを有する長軸状の部材からなり、上記サージング防止部材の固定端部に形成された貫通孔に挿通されて略垂直方向に延びており、上記サージング防止部材の外側に突出する部分が上記支持部材に設けられたねじ孔に螺合して支持される一方、上記サージング防止部材の内側に突出する部分の先端部が上記サージング防止部材の対向端部の内面に接当しているものとすることができる。
【００２０】
この構成においては、まず、支持部材に確りと固定される固定端部に貫通孔を形成したので、ゴム部材からなるサージング防止部材であっても、耐久性を大きく損なわずに済む。
【００２１】
そうして形成した貫通孔に、長軸状の姿勢保持部材を略垂直方向に延びるように挿通し、サージング防止部材の外側に突出する部分を支持部材に設けられたねじ孔に螺合して支持しているので、必要に応じて姿勢保持部材のねじ込み量を調整することができる。尚、姿勢保持部材は、必ずしも雄ねじをその周面全域に有する必要はなく、必要な領域にだけ形成してあってもよい。
【００２２】
そして、サージング防止部材の内側に突出した姿勢保持部材の先端部は、サージング防止部材の対向端部の内面に接当しているので、サージング防止部材の長軸側の長さが小さくなるのを確実に規制することができ、ねじ込み量の調整との組み合わせでその長さも任意に微調整することができる。
【００２３】
姿勢保持部材の占めるスペースも比較的小さくて済むので、サージング部材にコンパクトに組み付けることができる。
【００２４】
また、サージング防止部材は、その上方には規制していないので、仮にサージング防止部材の一部が巻線の間に入り込むようなことがあっても、コイルばねの伸張時には、その接触抵抗によってサージング防止部材を上下に引き伸ばすように力が作用するため、巻線の間に入り込んだサージング防止部材の一部が適正な状態に復帰し易くなり、サージング防止部材の巻線内への入り込みを確実に防止することができる。
【００２５】
また、上記支持部材が、基礎側又は振動源側に取り付けられる取付ベースと、この取付ベースから離間して対向状に設けられた支持ベースとを有し、上記支持ベースに上記ねじ孔が設けられていて、上記サージング防止部材の外側に突出する姿勢保持部材の部分が取付ベースと支持ベースとの間の空間に収容されているものとするのが好ましい。
【００２６】
この構成によれば、サージング防止部材の外側に突出した姿勢保持部材の部分は、取付ベースと支持ベースとの間の空間に収容されているため、その空間を利用して姿勢保持部材のねじ込み量を大小に変化させることができ、姿勢保持部材が取付ベースから突き出して邪魔になるようなこともない。
【００２７】
更に万全を期すために、上記サージング防止部材は、その外周縁部における少なくともコイルばねの巻線に押し付けられる部分に、ばね軸心が延びる方向から見て、コイルばねの巻線の内周に沿うように形成された摺接面を有しているものとすることができる。そうすれば、外周縁部が角ばったサージング防止部材に比べて巻線の間に入り込み難くなり、より防振性能を安定化させることができる。また、サージング防止部材とコイルばねとの接触面積も相対的に大きくなることから、それだけ接触抵抗も大きくなってサージングの防止性能も向上させることができる。
【発明の効果】
【００２８】
以上、説明したように、本発明の防振装置によれば、コイルばねに対するサージング防止部材の適正な接触抵抗を姿勢保持部材の調整によって確保することができ、コイルばねの巻線の間にサージング防止部材が入り込むのを効果的に防止することができるので、安定して防振性能を発揮させることができる。
【発明を実施するための最良の形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１及び図２は本実施形態における防振台Ａを示しており、この防振台Ａは、例えば、図示しない振動源である空気調和装置の室外ユニットを基礎の設置面上に設置する場合に用いられる。
【００３１】
防振台Ａは、設置面上に固定される矩形枠体からなる基台８０と、この基台８０上に所定間隔をあけて配置される、基台８０と略同形同寸の架台８１とを備え、この架台８１上に室外ユニットが取り付けられるようになっている。基台８０と架台８１との間には、架台８１を弾性的に支持するために、同一の防振装置Ｂがバランスよく複数配設されていて、防振台Ａの四隅には、架台８１の上方移動を規制するストッパ機構８２が各々配設されている。
【００３２】
各防振装置Ｂには、図３〜図５に示すように、プラスチック加工品等からなる、基台８０に取り付けられる第一ケース１０（第一部材）や架台８１に取り付けられる第二ケース２０（第二部材）、金属製のコイルばね３０、減衰ゴム４０（サージング防止部材）、減衰ゴム調整ボルト５０（姿勢保持部材）などが備えられている。
【００３３】
第一ケース１０は、基台８０に固定される略正方形板状の第一取付ベース１１と、この第一取付ベース１１の上面に立設され、上方が開放された円筒状の第一周壁部１２と、この第一周壁部１２の内側を上下に区画して第一取付ベース１１の上方に対向状に配設された、略円板状の支持ベース１３とを有している。
【００３４】
第一取付ベース１１の四隅には、それぞれ基台８０に締結する図示しないボルトを挿通するための締結孔１１ａ，１１ａ，・・が貫通形成されている。また、第一取付ベース１１の中央部には比較的大径の開口部１１ｂが形成されている。
【００３５】
支持ベース１３の略中央部には、減衰ゴム調整ボルト５０を支持するためのねじ孔１３ａが開いており、そのねじ孔１３ａの内周面には、らせん状の雌ねじが形成されている。尚、支持ベース１３の詳細については後述する。
【００３６】
第二ケース２０は、第一取付ベース１１と略同形同寸の形状をし、架台８１に固定される第二取付ベース２１と、第二取付ベース２１の下面に垂設され、下方が開放された円筒状の第二周壁部２２とを有している。第二取付ベース２１の四隅にも、それぞれ架台８１に締結する図示しないボルトを挿通するための締結孔２１ａ、２１ａ，・・が貫通形成されている。
【００３７】
第二ケース２０の第二周壁部２２は、第一ケース１０の第一周壁部１２よりも小径に形成されていて、第二周壁部２２の下端部が第一周壁部１２内に入り込んだ状態で、第二ケース２０は第一ケース１０の上側に位置するように配設されている。
【００３８】
そして、第一ケース１０と第二ケース２０との間には、ばね軸心Ｐ１が略垂直方向に延びて、第一周壁部１２及び第二周壁部２２各々の中心軸線と重なるようにコイルばね３０が配設されている。コイルばね３０の周囲は互い違いに重なった第一周壁部１２と第二周壁部２２とで囲まれていて、コイルばね３０の上端は第二取付ベース２１の下面に接当し、コイルばね３０の下端は支持ベース１３の上面に接当している。
【００３９】
従って、コイルばね３０は第一ケース１０と第二ケース２０とで覆われていて、外部から異物が浸入してコイルばね３０に噛み込まないように構成されている。
【００４０】
支持ベース１３の上面及び第二取付ベース２１の下面には、それぞれ、コイルばね３０の外周縁に沿うように４つの位置決めボルト６０，６０，・・が等間隔に締結されていて、突出したこれら位置決めボルト６０，６０，・・の頭部の内側にコイルばね３０の上下の端部が各々配置されている。従って、コイルばね３０はこれら位置決めボルト６０，６０，・・によって水平方向への移動が規制され、位置決めされるようになっている。
【００４１】
このように、コイルばね３０を介して連結することにより、第二ケース２０は第一ケース１０に弾性的に支持されて、架台８１上に室外ユニットが載置されるとその荷重でコイルばね３０は収縮し、室外ユニットが振動するとコイルばね３０は伸縮して、基礎への振動の伝達が抑制される。
【００４２】
ところが、コイルばね３０に伝わる室外ユニットの振動数がばね自身の固有振動数に近付くと振幅が大きくなる、所謂サージングの現象が生じるので、これを防ぐために減衰ゴム４０が配設されている。
【００４３】
減衰ゴム４０は、例えば、硬度Ｈｓ８０〜４０のゴムでできた、幅が約８０ｍｍ、厚みが約５ｍｍ、外径が約５０ｍｍ（無負荷時）の略円筒形状をした部材である。減衰ゴム４０は、図４、図５に示すように、そのゴム軸心（筒軸）Ｐ２が略水平となるように横臥した状態でコイルばね３０の巻線３１，３１，・・の内側に押し入れられていて、ゴム軸心Ｐ２を挟んで互いに対向している両側部４１，４１の少なくとも一部は、ばね軸心Ｐ１に略直交する方向からコイルばね３０の巻線３１，３１，・・に押し付けられて、減衰ゴム４０は、ばね軸心Ｐ１に沿って延びる楕円状ないし長円状に変形している。
【００４４】
従って、コイルばね３０の巻線３１，３１，・・の内側には、常時減衰ゴム４０が圧接することとなるため、減衰ゴム４０の弾性反発力による接触抵抗によってコイルばね３０にサージングの現象が発生するのを効果的に防止することができる。
【００４５】
減衰ゴム４０の両側部４１，４１に連なってコイルばね３０の下端側に位置する部分４２（固定端部４２ともいう）は、本実施形態では支持ベース１３の上面の略中央部に取り付けられた金属製のブラケット１５によって挟持固定されている。
【００４６】
具体的には、ブラケット１５は、帯板形状をした第一挟持片１５ａと、帯板形状をしていて、中間部分に一段高く折曲形成された折曲部１６を有する第二挟持片１５ｂとで構成され、第一挟持片１５ａは支持ベース１３の上面に密着するように固定される一方、第二挟持片１５ｂはその折曲部１６が第一挟持片１５ａの上側に位置するように固定され、上方から見て十字状に各挟持片１５ａ，１５ｂが配置されている。各挟持片１５ａ，１５ｂは、その両端部が先の位置決めボルト６０で支持ベース１３に締結固定されており、支持ベース１３側の位置決めボルト６０は各挟持片１５ａ，１５ｂの締結ボルトとして共用されている。
【００４７】
そして、その第一挟持片１５ａと第二挟持片１５ｂの折曲部１６との間に、減衰ゴム４０の固定端部４２が挟み込まれている。減衰ゴム４０の固定端部４２の幅方向の略中央部には、減衰ゴム調整ボルト５０を挿通するために、支持ベース１３のねじ孔１３ａと上下方向に重なるように貫通孔４３が形成されている。ブラケット１５の各挟持片１５ａ，１５ｂの略中央部にも同様に各々貫通孔が形成されている。
【００４８】
減衰ゴム４０にこのような貫通孔４３を形成しても、ブラケット１５で確りと挟持固定する部分に形成してあるので、耐久性は大きく損なわれることがない。また、各挟持片１５ａ，１５ｂの両側でコイルばね３０の下端部を受け止めているので、ブラケット１５は確りと固定され、固定端部４２も緩み難くなっている。
【００４９】
そして、この減衰ゴム４０には、コイルばね３０の巻線３１，３１，・・の間への入り込みを防止するために、減衰ゴム調整ボルト５０が組み付けられている。
【００５０】
すなわち、減衰ゴム４０は、ばね軸線Ｐ１と略直交する方向からコイルばね３０の巻線３１，３１，・・に押し付けられているため、コイルばね３０の収縮時に、互いに隣接する巻線３１，３１の間に減衰ゴム４０の一部が入り込むおそれがある（図１０参照）。そうなると、コイルばね３０の収縮時に減衰ゴム４０の圧縮による弾性抵抗が加わって、コイルばね３０が正常に収縮するのに比べて、見かけ上、コイルばね３０のばね定数が大きくなり、防振装置Ｂの防振性能が不安定になってしまう。
【００５１】
そこで、減衰ゴム４０の長軸側、つまりコイルばね３０のばね軸Ｐ１方向の長さが所定寸法よりも小さくならないように、減衰ゴム調整ボルト５０で減衰ゴム４０の姿勢を保持している。
【００５２】
具体的には、減衰ゴム調整ボルト５０は、摘み部５１と、この摘み部５１と一体に形成された長軸状の軸部５２とを含み、その軸部５２の外周面には、全域にわたってらせん状の雄ねじが形成されている。減衰ゴム調整ボルト５０は、固定ナット５３を軸部５２に螺合させた状態で、その先端側が支持ベース１３の下面からねじ孔１３ａにねじ入れられて、ブラケット１５の貫通孔及び減衰ゴム４０の貫通孔４３を通って略垂直方向に延びるように、その軸部５２の中間部が支持ベース１３に支持されている。尚、固定ナット５３は減衰ゴム調整ボルト５０を支持ベース１３に固定するために用いられる。
【００５３】
そして、減衰ゴム４０の内側に突出する軸部５２の先端には、頭部に凸曲面を有する六角袋ナット５４が締結されていて、減衰ゴム４０の上端部、詳しくは、減衰ゴム４０の両側部４１，４１に連なってその固定端部４２と対向している部分４５（対向端部４５ともいう）の内面に、その六角袋ナット５４の頭部が接当していて、減衰ゴム４０は減衰ゴム調整ボルト５０によって固定端部４２と対向端部４５との間の長さが所定寸法より大きくはなっても小さくはならないように支持されている。
【００５４】
従って、コイルばね３０の巻線３１，３１，・・に接している減衰ゴム４０の両側部４１，４１が必要以上に水平方向に拡がるのを規制することができ、コイルばね３０の収縮時に減衰ゴム４０の一部がコイルばね３０の巻線３１，３１，・・の間に入り込むのを効果的に防止できる。
【００５５】
一方、仮に減衰ゴム４０の一部が巻線３１，３１，・・の間に入り込むようなことがあっても、コイルばね３０の伸張時には、その接触抵抗によって減衰ゴム４０は容易に長軸側に引き伸ばされるため、巻線３１，３１，・・の間に入り込んだ減衰ゴム４０の一部は直ぐに引き出され、減衰ゴム４０による防振性能の不安定化がより確実性をもって阻止されるようになっている。
【００５６】
そして、上記所定寸法は、減衰ゴム調整ボルト５０のねじ孔１３ａへのねじ込み量を変えることで大小に自在に変化させることができるため、コイルばね３０の状態等に応じて適宜調整すればよい。
【００５７】
一方、支持ベース１３の下側に突出している減衰ゴム調整ボルト５０の部分は、摘み部５１を含め、支持ベース１３と第一取付ベース１１との間の空間７０に、上下方向に余裕のある状態で収容されている。従って、減衰ゴム調整ボルト５０が防振装置Ｂの外側に突き出て邪魔になることがない。また、第一取付ベース１１は、その開口部１１ｂによって、第一取付ベース１１の厚みの分だけ減衰ゴム調整ボルト５０の調整代が大きくなるようにも工夫されている。
【００５８】
また、図６に示すように、減衰ゴム４０の姿勢は減衰ゴム調整ボルト５０によって保持されているため、コイルばね３０が収縮しても、それに追随して減衰ゴム４０が縮むことはないし、巻線３１，３１，・・への押し付け状態も変わることはない。従って、コイルばね３０が収縮した分だけコイルばね３０と減衰ゴム４０との接触範囲が拡がって接触抵抗が増加し、その結果、減衰量が増加する点でも有利なものとなっている。
【００５９】
図７は、減衰ゴム４０の別実施形態を示したものである。ここでの減衰ゴム４０は、そのゴム軸心Ｐ２方向の両端部におけるそれぞれの外周縁部が、ばね軸心Ｐ１が延びる方向から見て、コイルばね３０の巻線３１，３１，・・の内周に沿うように湾曲形成された摺接面４６，４６となっている。従って、減衰ゴム４０がコイルばね３０の巻線３１，３１，・・の内側に上述したように配設されると、減衰ゴム４０の両側部４１，４１は、これら摺接面４６，４６から巻線３１，３１，・・の内面に押し付けられる。
【００６０】
そうすると、外周縁部が角ばっている場合に比べて巻線３１，３１，・・の間に入り込み難くなり、より防振性能を安定化させることができる。また、減衰ゴム４０とコイルばね３０との接触範囲も相対的に大きくなることから、それだけ接触抵抗も大きくなってサージングの防止性能も向上させることができる。
【００６１】
なお、本発明にかかる防振装置は、前記の実施の形態に限定されず、それ以外の種々の構成をも包含する。
【００６２】
すなわち、減衰ゴム４０は、必ずしも最初から略円筒形状をした部材でなくてもよい。例えば、帯状のゴムを曲げて、その長手方向の両端部をブラケット１５で固定すれば、略円筒形状をした部材とすることができる。
第二ケース２０の第二周壁部２２は、第一ケース１０の第一周壁部１２よりも大径に形成し、第一周壁部１２の上端部が第二周壁部２２内に入り込むように配設してあってもよい。そうすれば、上方からの異物や雨水等の浸入を更に効果的に防止することができる。
【００６３】
また、第二ケース２０を基台８０側に、第一ケース１０を架台８１側にして、防振装置Ｂを天地逆向きに取り付けることもできる。支持ベース１３は、第一ケース１０及び第二ケース２０のいずれにも設けることができる。
【００６４】
第二取付ベース２１の中央部に、減衰ゴム４０の対向端部４５が入り込めるような開口部を形成しておくとよい。第二取付ベース２１の厚みの分だけ、コイルばね３０の収縮許容範囲が大きくなり、減衰ゴム調整ボルト５０の調整範囲も大きくなる。
【００６５】
サージング防止部材の長軸側の長さは、所定寸法に保持されるようにしてあってもよい。例えば、減衰ゴム４０の対向端部４５にも貫通孔を形成し、そこに減衰ゴム調整ボルト５０の先端部を挿入して六角袋ナット５４とナットとでその対向端部４５を挟持する。そうすれば、減衰ゴム４０の長軸側の直径を小さくして、その両側部４１，４１をコイルばね３０に強く押し付けることもできるようになるため、減衰量の調整範囲が拡大する。
【図面の簡単な説明】
【００６６】
【図１】本発明の防振装置を適用した防振台の正面図である。
【図２】本発明の防振装置を適用した防振台の平面図である。
【図３】本発明の防振装置を上方から見た図（平面図）である。
【図４】図３のＸ−Ｘ線断面図である。
【図５】図３のＹ−Ｙ線断面図である。
【図６】図５において、防振装置に荷重が加わった状態を示す図である。
【図７】サージング防止部材の別実施形態を説明するために、その要部を示した平面図である。
【図８】従来の防振装置の説明図である。
【図９】従来の防振装置の説明図である。
【図１０】従来の防振装置の要部を示す概略断面図である。
【符号の説明】
【００６７】
１０  第一ケース（第一部材）
１１  第一取付ベース
１３  支持ベース
１３ａ  ねじ孔
１５  ブラケット
２０  第二ケース（第二部材）
２１  第二取付ベース
３０  コイルばね
３１  巻線
４０  減衰ゴム
４１  側部
４２  固定端部
４３  貫通孔
４５  対向端部
４６  摺接面
５０  減衰ゴム調整ボルト（姿勢保持部材）
５２  軸部
７０  空間
Ｂ  防振装置
Ｐ１  ばね軸心
Ｐ２  ゴム軸心（筒軸）
【図１】
0005041598.tif 000002
【図２】
0005041598.tif 000003
【図３】
0005041598.tif 000004
【図４】
0005041598.tif 000005
【図５】
0005041598.tif 000006
【図６】
0005041598.tif 000007
【図７】
0005041598.tif 000008
【図８】
0005041598.tif 000009
【図９】
0005041598.tif 000010
【図１０】
0005041598.tif 000011